(57)【特許請求の範囲】
【請求項１】
利用者が睡眠を取得した時間帯を示す睡眠時間帯、利用者が就業した時間帯を示す就業時間帯、および利用者の体調を示す体調情報としての眠気の度合いと肉体の疲労の度合いと脳の疲労の度合いの各入力値を生活習慣履歴情報として受け付ける受付手段と、
前記受付手段が受け付けた生活習慣履歴情報を所定日数分、利用者毎に記憶する第一記憶手段と、
前記第一記憶手段が記憶する所定日数分の生活習慣履歴情報から、特定利用者の睡眠特性として、所定回数以上の睡眠分断があった日数、最終就床時刻の平均値およびその標準偏差値、最終起床時刻の平均値およびその標準偏差値、総睡眠時間の平均値およびその変動率、夜間期睡眠時間の平均値およびその変動率、昼間期睡眠時間の平均値およびその変動率、眠気度の平均値およびその変動率、肉体疲労度の平均値およびその変動率、精神疲労度の平均値およびその変動率を算出するとともに、前記特定利用者の生体リズムを算出し、さらに、算出した前記特定利用者の生体リズムに基づき、実際に取得した睡眠時間が理想的な睡眠時間に対して不足している量である睡眠負債量を算出する算出手段と、
前記算出手段が算出した睡眠特性、生体リズムおよび睡眠負債量に基づき、前記特定利用者の睡眠状況としての生体リズム、睡眠時間、就寝時刻、起床時刻、休日睡眠、疲労および睡眠分断の各判定項目について、予め設定した判定基準に合致するか否かを判定し、何れかの判定項目が前記判定基準に合致する場合には前記特定利用者の睡眠状況に問題があると判定し、一方、何れの判定項目も前記判定基準に合致しない場合には前記特定利用者の睡眠状況に問題がないと判定するが、特に、前記算出手段が算出した前記生体リズムについては、当該生体リズムの周期と予め定められた理想的な生体リズムの周期との比較結果に基づいて、前記特定利用者の睡眠状況が複数の判定基準のいずれに合致するかを判定する判定手段と、
前記判定基準に合致すると判定された判定項目についてその改善を促すための改善方法を各判定項目ごとに記憶する第二記憶手段と、
各種情報を提示可能な提示手段と、
前記判定手段によって前記特定利用者の睡眠状況に問題があると判定された場合には、前記睡眠状況のうち前記判定基準に合致すると判定された判定項目についてその改善を促すための改善方法を選択して前記第二記憶手段から読み出し、その読み出した改善方法を前記提示手段に提示させる提示制御手段と、
を備えることを特徴とする眠気予防情報提示装置。
【請求項２】
請求項１に記載の眠気予防情報提示装置における算出手段、判定手段および提示制御手段としてコンピュータを機能させるためのプログラム。
【請求項３】
請求項１に記載の眠気予防情報提示装置における算出手段、判定手段および提示制御手段としてコンピュータを機能させるためのプログラムを記録したコンピュータ読み取り可能な記録媒体。
【請求項４】
クライアントと、サーバと、を備え、前記クライアントと前記サーバとは通信網を介して通信可能に構成された眠気予防情報提示システムであって、
前記クライアントは、
利用者が睡眠を取得した時間帯を示す睡眠時間帯、利用者が就業した時間帯を示す就業時間帯、および利用者の体調を示す体調情報としての眠気の度合いと肉体の疲労の度合いと脳の疲労の度合いの各入力値を生活習慣履歴情報として受け付ける受付手段と、
前記サーバと通信可能なクライアント側通信手段と、
前記受付手段が受け付けた生活習慣履歴情報を、前記クライアント側通信手段を介して前記サーバへ送信させるクライアント側通信制御手段と、を備え、
前記サーバは、
前記クライアントと通信可能なサーバ側通信手段と、
前記サーバ側通信手段が受信した生活習慣履歴情報を所定日数分、利用者毎に記憶する第一記憶手段と、
前記第一記憶手段が記憶する所定日数分の生活習慣履歴情報から、特定利用者の睡眠特性として、所定回数以上の睡眠分断があった日数、最終就床時刻の平均値およびその標準偏差値、最終起床時刻の平均値およびその標準偏差値、総睡眠時間の平均値およびその変動率、夜間期睡眠時間の平均値およびその変動率、昼間期睡眠時間の平均値およびその変動率、眠気度の平均値およびその変動率、肉体疲労度の平均値およびその変動率、精神疲労度の平均値およびその変動率を算出するとともに、前記特定利用者の生体リズムを算出し、さらに、算出した前記特定利用者の生体リズムに基づき、実際に取得した睡眠時間が理想的な睡眠時間に対して不足している量である睡眠負債量を算出する算出手段と、
前記算出手段が算出した睡眠特性、生体リズムおよび睡眠負債量に基づき、前記特定利用者の睡眠状況としての生体リズム、睡眠時間、就寝時刻、起床時刻、休日睡眠、疲労および睡眠分断の各判定項目について、予め設定した判定基準に合致するか否かを判定し、何れかの判定項目が前記判定基準に合致する場合には前記特定利用者の睡眠状況に問題があると判定し、一方、何れの判定項目も前記判定基準に合致しない場合には前記特定利用者の睡眠状況に問題がないと判定するが、特に、前記算出手段が算出した前記生体リズムについては、当該生体リズムの周期と予め定められた理想的な生体リズムの周期との比較結果に基づいて、前記特定利用者の睡眠状況が複数の判定基準のいずれに合致するかを判定する判定手段と、
前記判定基準に合致すると判定された判定項目についてその改善を促すための改善方法を各判定項目ごとに記憶する第二記憶手段と、
前記判定手段によって前記特定利用者の睡眠状況に問題があると判定された場合には、前記睡眠状況のうち前記判定基準に合致すると判定された判定項目についてその改善を促すための改善方法を選択して前記第二記憶手段から読み出し、その読み出した改善方法を前記判定手段による判定の詳細内容とともに前記クライアントへ前記サーバ通信手段を介して送信させるサーバ側通信制御手段と、を備え、
さらに、
前記クライアントは、
各種情報を提示可能な提示手段と、
前記クライアント側通信手段が受信した前記改善方法および前記詳細内容を、前記特定利用者に対して前記提示手段に提示させる提示制御手段と、を備えること
を特徴とする眠気予防情報提示システム。
【請求項５】
請求項４に記載の眠気予防情報提示システムのサーバにおける算出手段、判定手段およびサーバ側通信制御手段としてコンピュータを機能させるためのプログラム。
【請求項６】
請求項４に記載の眠気予防情報提示システムのサーバにおける算出手段、判定手段およびサーバ側通信制御手段としてコンピュータを機能させるためのプログラムを記録したコンピュータ読み取り可能な記録媒体。
【発明の詳細な説明】
【技術分野】
【０００１】
本発明は、利用者の睡眠状況に基づき、その運転士が覚醒する時間帯に睡眠時間が混入しないように、睡眠を摂るべき時間帯を提示する技術に関する。
【背景技術】
【０００２】
自分自身の睡眠状況の良し悪しについては各個人である程度は判断することができるものの、客観的な評価でどの程度のものであるかを各個人で判断することは困難である。そこで、例えば鉄道車両の運転士の睡眠状態については、睡眠に関する専門家がその専門知識に基づき診断していた。具体的には、運転士の睡眠状態を科学的に把握し、その睡眠状態に問題のある運転士に対して睡眠指導するために、７種類の専用機材（アクチグラフ・携帯型心電計・脳波測定器・ＰＶＴ(作業性適性検査)・ＰＯＭＳアンケート・エプワースアンケート・睡眠日誌）を使用して一定期間データを採取した後、その採取したデータを睡眠に関する専門家が分析し、その分析結果に基づいて診断していた。
【０００３】
しかしながら、このような専門家による診断手法では、運転士個人で手軽に自らの睡眠状態について専門的な客観的評価である診断結果を得ることは困難である。また、このような診断手法では、上述の７種類におよぶ専用機材を長期間にわたり使用するため、データ採取に多大な時間と費用を必要としていた。
【０００４】
そこで、予め用意された設問に対する回答データに基づいて運転士の睡眠状況を評価し、その得られた評価データを利用者に提示する睡眠状況評価プログラムが知られている（例えば、特許文献１参照。）。具体的には、睡眠状況評価プログラムは、次のように運転士の睡眠状況を評価する。すなわち、１ヶ月の生活状況及び睡眠状況についての複数ジャンルの設問データを利用者に対して提示して、それら設問に対する利用者の回答データに基づいて上記ジャンル毎に評価を行う。つまり、睡眠を活動のうちの一部として捉えて、睡眠状況を評価するとともに各ジャンル毎に評価を行い、睡眠に関するどのジャンルが好ましくないのかを利用者が容易に把握する。特に、上記複数ジャンルとして、寝付き、睡眠の質、寝起き、日中の体調、睡眠中の正常性、睡眠の習慣の６つのジャンルを用いる時、睡眠の状況の評価を行う。
【特許文献１】特開２００３−２１６７３４号公報（第６，７頁、図３）
【発明の開示】
【発明が解決しようとする課題】
【０００５】
しかし、上述のような睡眠状況評価プログラムにおいては、上述のように１ヶ月の生活状況及び睡眠状況についての複数ジャンルの設問データを利用者に対して提示してそれら設問に対する利用者の回答データに基づいて上記ジャンル毎に評価を行うため、運転士が就寝後に覚醒状態となる時間帯を見つけ出すことができないという問題があった。なぜならば、このような場合には、その運転士が覚醒する時間帯に睡眠時間が混入し、睡眠途中で覚醒してしまって充分な休養を摂ることができなくなるからである。
【０００６】
本発明は、このような不具合に鑑みなされたものであり、その目的とするところは、利用者の睡眠状況に基づき、その運転士が覚醒する時間帯に睡眠時間が混入しないように、睡眠を摂るべき時間帯を提示することで、勤務中における眠気の発生を予防することを目的とする。
【課題を解決するための手段】
【０００７】
上記課題を解決するためになされた請求項１に係る眠気予防情報提示装置は、「生活習慣履歴から睡眠特性、睡眠負債量、生体リズムを算出し、これらに基づいて睡眠状況に問題があると判定した場合には改善アドバイスを提示すること」を特徴とする。
【０００８】
具体的には、受付手段（２：この欄においては、発明に対する理解を容易にするため、必要に応じて「発明を実施するための最良の形態」欄で用いた符号を付すが、この符号によって請求の範囲を限定することを意味するものではない。）が、利用者が睡眠を取得した時間帯を示す睡眠時間帯、利用者が就業した時間帯を示す就業時間帯、および利用者の体調を示す体調情報としての眠気の度合いと肉体の疲労の度合いと脳の疲労の度合いの各入力値各入力を生活習慣履歴情報として受け付け、受付手段（２）が受け付けた生活習慣履歴情報を所定日数分、利用者毎に第一記憶手段（４）が記憶する。
また、算出手段（３）が、第一記憶手段（４）が記憶する所定日数分の生活習慣履歴情報から、特定利用者の睡眠特性として、所定回数以上の睡眠分断があった日数、最終就床時刻の平均値およびその標準偏差値、最終起床時刻の平均値およびその標準偏差値、総睡眠時間の平均値およびその変動率、夜間期睡眠時間の平均値およびその変動率、昼間期睡眠時間の平均値およびその変動率、眠気度の平均値およびその変動率、肉体疲労度の平均値およびその変動率、精神疲労度の平均値およびその変動率を算出するとともに、特定利用者の生体リズムを算出し、さらに、算出した特定利用者の生体リズムに基づき、実際に取得した睡眠時間が理想的な睡眠時間に対して不足している量である睡眠負債量を算出する。
【０００９】
さらに、判定手段（３）が、算出手段（３）が算出した睡眠特性、生体リズムおよび睡眠負債量に基づき、特定利用者の睡眠状況としての生体リズム、睡眠時間、就寝時刻、起床時刻、休日睡眠、疲労および睡眠分断の各判定項目について、予め設定した判定基準に合致するか否かを判定する。何れかの判定項目が判定基準に合致する場合には特定利用者の睡眠状況に問題があると判定し、一方、何れの判定項目も前記判定基準に合致しない場合には特定利用者の睡眠状況に問題がないと判定する。特に、算出手段が算出した生体リズムについては、当該生体リズムの周期と予め定められた理想的な生体リズムの周期との比較結果に基づいて、特定利用者の睡眠状況が複数の判定基準のいずれに合致するかを判定する。
また、第二記憶手段（４）が、判定基準に合致すると判定された判定項目についてその改善を促すための改善方法を各判定項目ごとに記憶しており、提示制御手段（３）が、判定手段（３）によって特定利用者の睡眠状況に問題があると判定された場合には、睡眠状況のうち判定基準に合致すると判定された判定項目についてその改善を促すための改善方法を選択して第二記憶手段（４）から読み出し、その読み出した改善方法を、各種情報を提示可能な提示手段（１）に提示させる。
【００１０】
このように構成された本発明によれば、利用者の睡眠スケジュールが望ましい睡眠スケジュールとなるべく、その改善を促すための改善方法をその利用者に対して提示することで、その利用者が就寝後に覚醒すると推定される時間帯に睡眠時間が混入しないよう促すことができ、勤務中における眠気の発生を予防することが期待できる。
【００１１】
また、このように睡眠負債量により生じる注意維持および認知機能の低下を予防することで、例えば利用者が新幹線の運転士である場合には新幹線の安全安定輸送がより強固なものとなる。さらに、睡眠負債量の低減により、各新幹線運転士の勤労意欲の増大や健康の増進が図られ、職場全体の健全な維持発展につながる。
【００１２】
なお、上述の利用者としては、鉄道車両の運転士やトラック・バスの運転者などが挙げられる。また、飛行機のパイロットや医師、看護士などの不規則勤務者については、上述の利用者には含まないものとする。
【００１６】
また、請求項４に記載の眠気予防情報提示システムのように、ユーザ端末であるクライアント（４００）とサーバ（５００）とを備え、クライアントから設問への回答が入力された場合には、その回答をインターネットなどの通信網を経由してサーバに送信し、サーバにてその回答に基づいて各種処理を実行したのちに、処理結果をクライアントへ送信して利用者に対して提示するよう構成してもよい。
【００１７】
具体的には、眠気予防情報提示システムが、クライアント（４００）と、サーバ（５００）と、を備え、クライアント（４００）とサーバ（５００）とは通信網を介して通信可能に構成される。
クライアントでは、受付手段（４０２）が、利用者が睡眠を取得した時間帯を示す睡眠時間帯、利用者が就業した時間帯を示す就業時間帯、および利用者の体調を示す体調情報としての眠気の度合いと肉体の疲労の度合いと脳の疲労の度合いの各入力値を生活習慣履歴情報として受け付け、受付手段（４０２）が受け付けた生活習慣履歴情報を、クライアント側通信制御手段（４０４）が、サーバ（５００）と通信可能なクライアント側通信手段（４０４）を介してサーバ（５００）へ送信させる。
【００１８】
一方、サーバ（５００）では、クライアント（４００）と通信可能なサーバ側通信手段（５０１）が受信した生活習慣履歴情報を所定日数分、利用者毎に第一記憶手段（５０３）が記憶し、算出手段（５０２）が、第一記憶手段（５０３）が記憶する所定日数分の生活習慣履歴情報から、特定利用者の睡眠特性として、所定回数以上の睡眠分断があった日数、最終就床時刻の平均値およびその標準偏差値、最終起床時刻の平均値およびその標準偏差値、総睡眠時間の平均値およびその変動率、夜間期睡眠時間の平均値およびその変動率、昼間期睡眠時間の平均値およびその変動率、眠気度の平均値およびその変動率、肉体疲労度の平均値およびその変動率、精神疲労度の平均値およびその変動率を算出するとともに、特定利用者の生体リズムを算出し、さらに、算出した特定利用者の生体リズムに基づき、実際に取得した睡眠時間が理想的な睡眠時間に対して不足している量である睡眠負債量を算出する。
【００１９】
そして、サーバ（５００）の判定手段（５０２）が、算出手段（５０２）が算出した睡眠特性、生体リズムおよび睡眠負債量に基づき、特定利用者の睡眠状況としての生体リズム、睡眠時間、就寝時刻、起床時刻、休日睡眠、疲労および睡眠分断の各判定項目について、予め設定した判定基準に合致するか否かを判定する。何れかの判定項目が前記判定基準に合致する場合には特定利用者の睡眠状況に問題があると判定し、一方、何れの判定項目も前記判定基準に合致しない場合には特定利用者の睡眠状況に問題がないと判定する。特に、算出手段が算出した生体リズムについては、当該生体リズムの周期と予め定められた理想的な生体リズムの周期との比較結果に基づいて、特定利用者の睡眠状況が複数の判定基準のいずれに合致するかを判定する。
また、第二記憶手段（５０３）が、判定基準に合致すると判定された判定項目についてその改善を促すための改善方法を各判定項目ごとに記憶しており、サーバ側通信制御手段（５０２）が、判定手段（５０２）によって特定利用者の睡眠状況に問題があると判定された場合には、睡眠状況のうち判定基準に合致すると判定された判定項目についてその改善を促すための改善方法を選択して第二記憶手段（５０３）から読み出し、その読み出した改善方法を判定手段（５０２）による判定の詳細内容とともにクライアント（４００）へサーバ通信手段（５０１）を介して送信させる。
【００２０】
一方、クライアント（４００）では、提示制御手段（４０３）が、クライアント側通信手段（４０４）が受信した改善方法および詳細内容を、特定利用者に対して、各種情報を提示可能な提示手段（４０１）に提示させる。
このように構成された本発明によれば、上述のように、利用者の睡眠スケジュールが望ましい睡眠スケジュールとなるべく、その改善を促すための改善方法をその利用者に対して提示することで、その利用者が就寝後に覚醒すると推定される時間帯に睡眠時間が混入しないよう促すことができ、勤務中における眠気の発生を予防することが期待できる。
【００２１】
また、このように睡眠負債量により生じる注意維持および認知機能の低下を予防することで、例えば利用者が新幹線の運転士である場合には新幹線の安全安定輸送がより強固なものとなる。さらに、睡眠負債量の低減により、各新幹線運転士の勤労意欲の増大や健康の増進が図られ、職場全体の健全な維持発展につながる。
【００２２】
なお、上述の利用者としては、鉄道車両の運転士やトラック・バスの運転者などが挙げられる。また、飛行機のパイロットや医師、看護士などの不規則勤務者については、上述の利用者には含まないものとする。
【００２６】
なお、請求項２に示すように、請求項１記載の眠気予防情報提示装置における算出手段、判定手段および提示制御手段は、コンピュータを機能させるプログラムとして実現できる。また、請求項５に示すように、請求項４に記載の眠気予防情報提示システムのサーバにおける算出手段、判定手段およびサーバ側通信制御手段は、コンピュータを機能させるプログラムとして実現できる。したがって、本発明は、プログラムの発明として実現できる。また、このようなプログラムの場合、例えば、ＦＤ、ＭＯ、ＤＶＤ−ＲＯＭ、ＣＤ−ＲＯＭ、ハードディスク等のコンピュータ読み取り可能な記録媒体に記録し、必要に応じてコンピュータにロードして起動することにより用いることができる。この他、請求項３または請求項６に示すように、ＲＯＭやバックアップＲＡＭをコンピュータ読み取り可能な記録媒体として本プログラムを記録しておき、ＲＯＭあるいはバックアップＲＡＭをコンピュータに組み込んで用いても良い。
【発明を実施するための最良の形態】
【００２７】
以下に本発明の実施形態を図面とともに説明する。
［第一実施形態］
図１は、眠気予防情報提示装置１００の概略構成図である。
【００２８】
［眠気予防情報提示装置１００の構成の説明］
図１に示すように、眠気予防情報提示装置１００は、不定形勤務や生活上の不適切な睡眠スケジュールから生じる睡眠負債・生体リズム障害に起因する注意維持や認知機能の低下を低減するために、鉄道車両の運転士（以下利用者）個人の特性に合致させた自己改善可能な睡眠スケジュール・生体リズム調整法を提示する装置である。
【００２９】
具体的には、この眠気予防情報提示装置１００は、表示部１、キーボード２、各部の動作を制御する制御部３、および各種情報を記憶する情報記憶部４を備えている。なお、これら表示部１、キーボード２および情報記憶部４は制御部３と接続されている。
【００３０】
表示部１は、液晶ディスプレイや有機ＥＬディスプレイ等から構成され、利用者に対する設問や判定結果などの各種情報を表示可能である。また、表示部１は、睡眠状況に問題がある場合にはその改善を促すための改善方法を利用者に対して表示可能である。
【００３１】
キーボード２は、メカニカルなキースイッチから構成され、利用者の生活習慣履歴を示す情報である「生活習慣履歴情報」を利用者によって入力可能である。
情報記憶部４は、不揮発性メモリで構成され、各種データを記憶するのに利用される。具体的には、情報記憶部４は、表示部１に表示させるための各種設問を記憶するのに利用される。なお、この各種設問の具体例としては、後述する「生活習慣履歴に関する設問」、後述する「睡眠時無呼吸症候群に関する設問」、および後述する「むずむず脚症候群に関する設問」が挙げられる。
【００３２】
また、情報記憶部４は、キーボード２から入力された生活習慣履歴情報を記憶可能である。なお、上述の生活習慣履歴情報には、利用者が睡眠を取得した時間帯を示す「睡眠取得時間帯」、利用者が就業した時間帯を示す「就業時間帯」、および利用者の体調を示す「体調情報」が含まれている。なお、上述の生活習慣履歴情報には、利用者における過去１０日間分以上の生活習慣履歴に関する情報が含まれている。また、上述の睡眠取得時間帯には、昼寝や仮眠を取得した時間帯も含まれる。また、上述の体調情報の具体例としては、利用者における眠気の具合、肉体の疲労度および脳の疲労度が挙げられる。
【００３３】
さらに、情報記憶部４は、利用者の睡眠状況に問題がある場合の改善方法を示す改善方法情報を記憶する。この改善方法情報は、例えば生体リズムや睡眠時間、就寝時間、起床時間などの分類別に、問題点とその問題点の改善を促すための改善アドバイスとを関連付けた情報である（図４参照）。なお、上述の改善アドバイスの具体例としては、後述する「警告提示」、後述する「具体的方策教示」、および後述する「情報ポップアップ」が挙げられる。
【００３４】
制御部３は、例えばＣＰＵとメモリからなる通常のマイクロコンピュータで構成される。また、制御部３は、次のような機能を有する。
（イ）情報記憶部４が記憶する各種設問を読み出して表示部１に表示させるとともに、キーボード２から入力された上述の設問への回答（生活習慣履歴情報）を情報記憶部４へ記憶させる機能を有する。
【００３５】
（ロ）情報記憶部４が記憶する生活習慣履歴情報を読み出し、その読み出した生活習慣履歴情報に基づいて、利用者における睡眠取得の傾向を示す「睡眠取得傾向情報」および「睡眠負債量」を算出する機能を有する。なお、上述の睡眠取得傾向情報には、利用者における生体リズム、睡眠時間、就寝時刻、起床時刻、勤務日の睡眠、休養日の睡眠、睡眠分断の可能性、および睡眠障害の可能性の各情報が少なくとも含まれている。また、上述の睡眠負債量とは、実際に取得した睡眠時間が理想的な睡眠時間に対して不足している量を云う。
【００３６】
（ハ）情報記憶部４が記憶する「生活習慣履歴」情報を読み出し、その読み出した生活習慣履歴情報、先に算出した「睡眠取得傾向情報」および「睡眠負債量」に基づき、利用者の睡眠取得の傾向に問題があるか否かを判断するとともに、睡眠取得の傾向に問題があると判定した場合には、その詳細内容および改善方法を利用者に対して表示部１に表示させる機能を有する。
【００３７】
なお、表示部１は提示手段に該当する。また、情報記憶部４は、改善方法情報記憶手段に該当する。また、キーボード２および制御部３は生活習慣履歴情報取得手段に該当する。また、制御部３は、睡眠状況算出手段、判定手段および改善情報提示制御手段に該当する。
【００３８】
［睡眠取得状況判定処理（１）の説明］
次に、眠気予防情報提示装置１００の制御部３が実行する睡眠取得状況判定処理（１）を、図２のフローチャート、図３および図４を参照して説明する。なお、図３は、睡眠取得状況判定処理（１）を説明する説明図（１）であり、図４は、睡眠取得状況判定処理（１）を説明する説明図（２）である。
【００３９】
この処理は、眠気予防情報提示装置１００の電源が投入された際に実行される。
まず、ログイン要求されるまで待機し（Ｓ１０５：Ｎ）、ログイン要求された場合には（Ｓ１０５：Ｙ）、ログイン処理を実行する（Ｓ１１０）。続いて、利用者の睡眠時間帯の入力を促す旨を表示部１に表示させ、利用者からの睡眠時間帯の入力を受け付ける（Ｓ１１５）。なお、この場合の睡眠時間帯には昼寝や仮眠による睡眠時間も含む。そして、キーボード２を介して利用者によって睡眠時間帯が入力されるまで待機し、利用者からの睡眠時間帯の入力を受け付けた場合には、利用者の就業時間帯の入力を促す旨を表示部１に表示させ、利用者からの就業時間帯の入力を受け付ける（Ｓ１２０）。
【００４０】
キーボード２を介して利用者によって就業時間帯が入力されるまで待機し、利用者からの就業時間帯の入力を受け付けた場合には、利用者の眠気に関する質問を表示部１に表示させ、利用者からの眠気に関する質問への回答の入力を受け付ける（Ｓ１３０）。なお、利用者からの眠気に関する質問への回答については、「絶えられないほど眠かった」から「全く眠気を感じなかった」までの１０段階で行われる。さらに、利用者からの眠気に関する質問への回答の入力を受け付けた場合には、利用者の肉体の疲労に関する質問を表示部１に表示させ、利用者からの肉体の疲労に関する質問への回答の入力を受け付ける（Ｓ１４０）。なお、利用者からの肉体の疲労に関する質問への回答については、「耐え切れないほど疲れていた」から「全く疲れていなかった」までの１０段階で行われる。そして、利用者からの肉体の疲労に関する質問への回答の入力を受け付けた場合には、利用者の頭の疲労に関する質問を表示部１に表示させ、利用者からの頭の疲労に関する質問への回答の入力を受け付ける（Ｓ１５０）。なお、利用者からの頭の疲労に関する質問への回答については、「耐え切れないほど疲れていた」から「全く疲れていなかった」までの１０段階で行われる。
【００４１】
利用者からの肉体の疲労に関する質問への回答の入力を受け付けた場合には、上述の利用者の睡眠時間帯、利用者の就業時間帯、利用者からの眠気に関する質問への回答、利用者からの肉体の疲労に関する質問への回答、および利用者からの頭の疲労に関する質問への回答をその日付とともに生活習慣履歴情報として情報記憶部４へ記憶させる。
【００４２】
そして、過去１０日分の利用者の生活習慣履歴情報を情報記憶部４から読み出し、その読み出した過去１０日分の利用者の生活習慣履歴情報に基づき、過去１０日間、勤務日のみまたは休養日のみにおける利用者の睡眠特性を算出するとともに、利用者の生体リズムを算出する（Ｓ１７０）。なお、睡眠特性の具体例としては、３回以上の睡眠分断日数や、最終就床時刻の平均値およびそのＳＤ（標準偏差）値、最終起床時刻の平均値およびそのＳＤ値、総睡眠時間の平均値およびその変動率、夜間期睡眠時間の平均値およびその変動率、昼間期睡眠時間の平均値およびその変動率、眠気度の平均値およびその変動率、肉体疲労度の平均値およびその変動率、精神疲労度の平均値およびその変動率、が挙げられる（図３参照）。
【００４３】
続いて、先に算出した利用者の生体リズムに基づき、利用者の睡眠負債量を算出する（Ｓ１８０）。
そして、先に算出した睡眠特性、生体リズムおよび睡眠負債量に基づき、利用者の睡眠状況に問題があるか否かを判定する（Ｓ１９０）。利用者の睡眠状況に問題はないと判定された場合には（Ｓ２００：Ｎ）、Ｓ２２０に移行してログオフ要求されるまで待機する（Ｓ２２０：Ｎ）。一方、利用者の睡眠状況に問題があると判断された場合には（Ｓ２００：Ｙ）、その判定結果の詳細内容および改善方法を表示部１に提示させる（Ｓ２１０、図４参照）。なお、判定結果の詳細内容および改善方法の提示については後述する。そして、ログオフ要求されるまで待機し（Ｓ２２０：Ｎ）、ログオフ要求された場合には（Ｓ２２０：Ｙ）、ログオフ処理を実行する（Ｓ２３０）。そして、本処理を終了する。
【００４４】
以下に、上述の判定結果の詳細内容および改善方法の提示について説明する。すなわち、睡眠に問題がある場合には、生体リズム、睡眠時間、就寝時刻、起床時刻、休日睡眠、疲労、睡眠分断の７項目のいずれに該当するかを判定し、その詳細内容（問題点）と情報記憶部４から読み出した改善方法情報を表示部１に提示させる。以下、（Ａ）〜（Ｈ）のようにその詳細を説明する。
【００４５】
（Ａ）生体リズムに問題がある場合
（Ａ−１）生体リズムの周期が２３．５時間未満である場合には、警告提示である「生体リズムが大きく前進し、強い時差ボケが起こっています。早急な対策が必要です。」を表示部１に表示させるとともに、具体的方策教示である「業務に差し支えない範囲で、週３日以上できるだけ一定（１時間程度の範囲）の時刻に床に着き、一定の時刻に起床するよう努力しましょう。業務終了後帰宅してすぐに寝つけないようなら「円滑な入眠のための工夫」をしてみましょう。また、睡眠時間を６時間以上確保するよう努力しましょう。昼間に眠気が強いようなら１５分程度の短時間の仮眠をとるとよいでしょう。」を表示部１に表示させる。また、情報ポップアップとして「円滑な入眠のための工夫」および「短時間仮眠のとりかた」を表示部１に表示させる。
【００４６】
（Ａ−２）生体リズムの周期が２３．５〜２３．７５時間の範囲内である場合には、警告提示である「生体リズムが前進し、時差ボケ状態になっています。早めの修正が必要です。」を表示部１に表示させるとともに、具体的方策教示である「業務に差し支えない範囲で、できるだけ一定（１時間程度の範囲）の時刻に床に着き、一定の時刻に起床するよう努力しましょう。なお、業務終了後帰宅してすぐに寝つけないようなら、「円滑な入眠のための工夫」をしてみましょう。また、睡眠時間を６時間以上確保するよう努力しましょう。」を表示部１に表示させる。また、情報ポップアップとして「円滑な入眠のための工夫」を表示部１に表示させる。
【００４７】
（Ａ−３）生体リズムの周期が２４．７５時間よりも長い場合には、警告提示である「生体リズムが大きく後退し、時差ボケ状態になっています。早急な対策が必要です。」を表示部１に表示させるとともに、具体的方策教示である「業務に差し支えない範囲で、週３日以上できるだけ一定（１時間程度の範囲）の時刻に起床するよう努力しましょう。また、睡眠時間を６時間以上確保するよう努力しましょう。休養日の前夜遅くまで起きていたり、休養日にお昼まで寝ていたりするのをひかえましょう。睡眠時間が足りない場合には、休養日の午後１時〜３時の間に昼寝をとるとよいでしょう。」を表示部１に表示させる。また、情報ポップアップとして「休養日の睡眠のとりかた」を表示部１に表示させる。
【００４８】
（Ａ−４）生体リズムの周期が２４．２５〜２４．７５時間の範囲内である場合には、警告提示である「生体リズムが後退し、軽い時差ボケ状態になっています。早めの修正が必要です。」を表示部１に表示させるとともに、具体的方策教示である「業務に差し支えない範囲で、できるだけ一定（１時間程度の範囲）の時刻に起床するよう努力しましょう。休養日にお昼まで寝ていたり、睡眠不足は体のリズムに異常をおこしやすいので注意しましょう。」を表示部１に表示させる。また、情報ポップアップとして「休養日の睡眠のとりかた」を表示部１に表示させる。
【００４９】
（Ａー５）生体リズムの正規性が低下して、生体リズムの周期が２４時間であるが、カイ自乗値が２５０以下になっている場合には、警告提示である「生体リズムに乱れが生じており、リズム性の強化が必要です。」を表示部１に表示させるとともに、具体的方策教示である「不規則な睡眠のとりかたが生体リズムの乱れを引き起こします。業務に差し支えない範囲で、できるだけ一定（１時間程度の範囲）の時刻に起床するよう努力しましょう。そのためには就寝時刻を３０分〜１時間程度早める努力が必要です。また、睡眠が不足していると、休養日にうたた寝が不規則に混入し生体リズムを乱します。睡眠が不足している場合は、日中の一定の時間帯に１５分程度の短時間の仮眠をとったり、休養日の午後１〜３時の間に昼寝をとるとよいでしょう。」を表示部１に表示させる。また、情報ポップアップとして「短時間仮眠のとりかた」および「休養日の睡眠のとりかた」を表示部１に表示させる。
【００５０】
（Ａー６）生体リズムの正規性が低下して、生体リズムのピーク周期は２４時間であるが、折り返し（１２時間）以外に有意な周期が存在する場合には、警告提示である「生体リズムが非常に不規則になっています。早急に修正する必要があります。」を表示部１に表示させるとともに、具体的方策教示である「業務に差し支えない範囲で、週３日以上、できるだけ睡眠を一定の時間帯にとるよう努力しましょう。また、週３日以上できるだけ一定（１時間程度の範囲）の時刻に起床するよう努力しましょう。睡眠の質が悪化し、睡眠が実質的に不足している可能性があります。休養日の午後１〜３時の間に昼寝をとるとよいでしょう。睡眠の時間帯をある程度一定にすると一週間程度で不規則な生体リズムは解消できます。」を表示部１に表示させる。また、情報ポップアップとして「休養日の睡眠のとりかた」を表示部１に表示させる。
【００５１】
（Ａー７）生体リズムの正規性が低下して、生体リズムのピーク周期は２４時間であるが、折り返し以外の有意な周期が１つ存在する場合には、警告提示である「生体リズムが不規則になってきています。早めの修正が必要です。」を表示部１に表示させるとともに、具体的方策教示である「業務に差し支えない範囲で、できるだけ睡眠を一定の時間帯にとるよう努力しましょう。睡眠の時間帯をある程度一定にすると一週間程度で不規則な生体リズムは解消できます。睡眠が不足し、休養日に昼寝をとる場合も、午後１〜３時の間にとるようにすれば、生体リズムは安定します。」を表示部１に表示させる。また、情報ポップアップとして「休養日の睡眠のとりかた」を表示部１に表示させる。
【００５２】
（Ｂ）睡眠時間に問題がある場合
（Ｂ−１）５時間以下の睡眠時間が２日以上連続する場合には、警告提示である「極端に不足した睡眠の日が連続しています。早急に回復のための十分な睡眠時間を確保する必要があります。」を表示部１に表示させるとともに、具体的方策教示である「対策８：睡眠時間が５時間以下で問題のない人間は１％未満です。５時間以下の睡眠が連続すると日中の眠気は極度に強くなり、居眠りも多くなります。今晩から数夜は７時間以上の睡眠時間を、その後も最低限６時間以上の睡眠を確保するよう努力しましょう。また、やむを得ず５時間以下の睡眠時間しか確保できなかった場合には、業務に差し支えない範囲で、１５分程度の仮眠をとりましょう。仮眠後１０〜１５分間くらいは脳と身体に眠気が残っていますので注意しましょう。」を表示部１に表示させる。また、情報ポップアップとして「短時間仮眠のとりかた」を表示部１に表示させる。
【００５３】
（Ｂ−２）履歴１０日間内に５時間以下の睡眠時間が３回以上あるがこれらの日が連続してはいない場合には、警告提示である「極端な睡眠不足の日が多くなっています。翌日に睡眠不足を十分に回復できていれば問題はありませんが、睡眠負債が蓄積している可能性があります。睡眠不足を解消するための対策が必要です。」を表示部１に表示させるとともに、具体的方策教示である「睡眠時間が５時間以下で問題のない人間は１％未満です。貴方は、この１０日の間に５時間以下の睡眠が問題となるくらい多くなっています。今晩は７時間以上の睡眠時間を確保し、その後もできるだけ６時間以上の睡眠時間をとるように努力しましょう。やむを得ず５時間以下の睡眠時間しか確保できなかった場合には、業務に差し支えない範囲で、１５分程度の仮眠をとりましょう。仮眠後１０〜１５分間くらいは脳と身体に眠気が残っていますので注意しましょう。」を表示部１に表示させる。また、情報ポップアップとして「短時間仮眠のとりかた」を表示部１に表示させる。
【００５４】
（Ｂ−３）履歴１０日間内の平均睡眠時間が６時間未満であり、且つ「眠気」あるいは「精神疲労」あるいは「身体疲労」得点の平均が閾値以上あるいは閾値以上の日が４日以上である場合には、警告提示である「睡眠時間がやや不足し、脳や身体に負担がきています。睡眠時間の確保が改善につながります。」を表示部１に表示させるとともに、具体的方策教示である「睡眠が不足し脳や身体に負担が出始めています。貴方の場合、６時間以下の睡眠では問題の起こる危険性が高い体質のようです。可能であれば６時間以上の睡眠時間を毎晩確保するように努力しましょう。また、業務に差し支えない範囲で、日中に予防的に１５分程度の仮眠をとるように努力しましょう。なお、仮眠後１０〜１５分間くらいは脳と身体に眠気が残っていますので注意してください。」を表示部１に表示させる。なお、上述の閾値については予め試験等によって設定されている。また、情報ポップアップとして「短時間仮眠のとりかた」を表示部１に表示させる。
【００５５】
（Ｂ−４）履歴１０日間内に前日と２時間以上差のある睡眠時間の日が３日以上であり、且つ「眠気」あるいは「精神疲労」あるいは「身体疲労」得点の平均が閾値以上あるいは閾値以上の日が４日以上である場合には、警告提示である「日々の睡眠時間にかなり大きなばらつきがみられ、効率的な睡眠のとれていない可能性があります。それが脳や身体に負担をもたらしています。睡眠時間の規則性を保つ工夫が必要です。」を表示部１に表示させるとともに、具体的方策教示である「日々の睡眠時間に大きなばらつきがあると、脳と身体の疲労回復が十分に行われにくくなります。勤務期間の睡眠時間を６〜７時間の間にそろえ、休養日には１〜２時間余分に睡眠時間をとり、睡眠負債を解消するように努力しましょう。」を表示部１に表示させる。また、情報ポップアップとして「休養日の睡眠のとりかた」を表示部１に表示させる。
【００５６】
（Ｂ−５）履歴１０日間内の総睡眠時間のＣＶ（変動係数）値が３０％以上であり、且つ「眠気」あるいは「精神疲労」あるいは「身体疲労」得点の平均が閾値以上あるいは閾値以上の日が４日以上である場合には、警告提示である「日々の睡眠時間にかなり大きなバラツキがみられ、効率的な睡眠のとれていない可能性があります。それが脳や身体に負担をもたらしています。睡眠時間の規則性を保つ工夫が必要です。」を表示部１に表示させるとともに、具体的方策教示である「日々の睡眠時間が６〜７時間の範囲で確保できるように出来るだけ努力しましょう。また、休養日も勤務日より１〜２時間程度長い睡眠時間になるようにしてみましょう。勤務後に入眠がうまくいかずに睡眠時間がばらつくようなら、「円滑に眠りつくための方策」に従ってみましょう。」を表示部１に表示させる。また、情報ポップアップである「円滑に眠りつくための方策」および「休養日の睡眠のとりかた」を表示部１に表示させる。
【００５７】
（Ｂ−６）上述の睡眠時間に関する問題点（ロー１）〜（ロー５）に該当せず、且つ「眠気」あるいは「精神疲労」あるいは「身体疲労」得点の平均が閾値以上あるいは閾値以上の日が４日以上である場合には、警告提示である「睡眠時間は十分なようですが、脳や身体に負担がでているようです。睡眠の質に問題のある可能性があります。上司あるいは健康管理者と相談してください。」を表示部１に表示させるとともに、具体的方策教示である「十分な睡眠時間が確保できているのに脳や身体の疲労回復が出来ていない場合には、何らかの睡眠障害に罹患している可能性もあります。スクリーニング用アンケートを管理者の端末で行ってみてください。」を表示部１に表示させる。
【００５８】
（Ｃ）就寝時刻に問題がある場合
（Ｃ−１）履歴１０日間内の就寝時刻が午前２時以降である日が４日以上である場合には、警告提示である「あまりにも遅すぎる就寝時刻が、あなたの睡眠を障害している可能性があります。早急に対策が必要です。」を表示部１に表示させるとともに、具体的方策教示である「遅すぎる就寝時刻は生体リズムの安定性を崩し、睡眠時間の不足を引き起こす原因になります。今後１０日間のうち６日くらいは、午前１時までには就寝するように努力してみてください。これまでより早めの就寝時刻により入眠が困難になるようであれば、「円滑に眠りつくための方策」に従ってみましょう。また、就寝時刻が極めて遅い場合には、休養日の起床時刻が問題となるほど遅くなっている場合の多いことも知られています。休養日の睡眠のとりかたをみてください。」を表示部１に表示させる。また、情報ポップアップとして「円滑に眠りつくための方策」および「休養日の睡眠のとりかた」を表示部１に表示させる。
【００５９】
（Ｃ−２）履歴１０日間内に前日と２時間以上差のある就寝時刻の日が３日以上であり、且つ「眠気」あるいは「精神疲労」あるいは「身体疲労」得点の平均が閾値以上あるいは閾値以上の日が４日以上である場合には、警告提示である「日々の就寝時刻にかなり大きなばらつきがみられ、睡眠を効率的に取得できていない可能性があります。脳と身体に負担が出てきているようです。何らかの対策が必要です。」を表示部１に表示させるとともに、具体的方策教示である「就寝時刻の大幅な差異が生体リズムの安定性を崩し、脳と身体の疲労回復を阻害している可能性があります。可能であれば遅い就寝時刻を早い夜の就寝時刻に近づけ、日々の就寝時刻の差があまり大きくならないように努力してみてください。寝つきが困難で就寝時刻が遅くなるようでしたら、「円滑に眠りつくための方策」に従ってみましょう。」を表示部１に表示させる。また、情報ポップアップとして「円滑に眠りつくための方策」を表示部１に表示させる。
【００６０】
（Ｃ−３）履歴１０日間内の就寝時刻のＳＤ値が６０分以上であり、且つ「眠気」あるいは「精神疲労」あるいは「身体疲労」得点の平均が閾値以上あるいは閾値以上の日が４日以上である場合には、警告提示である「日々の就寝時刻がばらついており、睡眠を効率的に取得できていない可能性があります。脳と身体に負担が出てきているようです。何らかの対策が必要です。」を表示部１に表示させるとともに、具体的方策教示である「就寝時刻のばらつきが大きく、それが生体リズムの安定性を崩し熟眠を阻害している可能性があります。できるだけ早い就寝時刻に合わせるよう努力し、日々の就寝時刻の差が１時間以内になれば睡眠の質も改善します。」を表示部１に表示させる。
【００６１】
（Ｄ）起床時刻に問題がある場合
（Ｄ−１）履歴１０日間内の起床時刻が午前１１時以降である日が２日以上である場合には、警告提示である「遅すぎる起床時刻が散在しています。生体リズムの強化に影響がでる可能性がありますので、何らかの改善が必要です。」を表示部１に表示させるとともに、具体的方策教示である「午前１１時以降になるような遅すぎる起床時刻は、生体リズムの規則性を乱します。午前１０時までには起床するよう努力してみましょう。休養日に起床時刻が極端に遅くなるようでしたら、勤務日の睡眠が不足している証拠です。勤務日の睡眠時間をできるだけ確保し、休養日の睡眠のとりかたに注意しましょう。」を表示部１に表示させる。また、情報ポップアップとして「休養日の睡眠のとりかた」を表示部１に表示させる。
【００６２】
（Ｄ−２）履歴１０日間内の起床時刻のＳＤ値が６０分以上である場合には、警告提示である「起床時刻が大きくばらつき、生体リズムに影響がでる可能性があります。勤務スケジュールが影響している可能性はありますが、勤務スケジュールの範囲内でも改善は可能です。」を表示部１に表示させるとともに、具体的方策教示である「起床時刻の極端なばらつきは、生体リズムの規則性を乱し睡眠の質を悪くします。日々の起床時刻の差が２時間以内になるように努力するとともに、就寝時刻を少し早め適正な睡眠時間を確保するよう努力してみましょう。寝つきが悪い時に起床時刻が遅れてしまう場合には、円滑に眠りつくための方策」に従ってみましょう。」を表示部１に表示させる。また、情報ポップアップとして「円滑に眠りつくための方策」を表示部１に表示させる。
【００６３】
（Ｅ）勤務日と休養日の睡眠時間の取り方に問題がある場合
（Ｅ−１）履歴１０日間内の睡眠時間ついて休養日の睡眠時間の平均値と勤務日の睡眠時間の平均値との間に３時間以上の差がある場合には、警告提示である「勤務日の睡眠がかなり不足し、睡眠負債が蓄積しているようです。そのため休養日の睡眠時間が極端に長くなっています。休養日の睡眠のとりかたに問題があると翌日に影響します。上手な休養日の睡眠のとりかたを工夫してみては、いかがでしょうか。」を表示部１に表示させるとともに、具体的方策教示である「休養日の睡眠のとりかたをご覧下さい。」を表示部１に表示させる。また、情報ポップアップとして「休養日の睡眠のとりかた」を表示部１に表示させる。
【００６４】
（Ｅ−２）履歴１０日間内の休養日の起床時刻が午後１２時を越えている日が１日以上である場合には、警告提示である「休養日の睡眠のとりかたに問題があるようです。あまり遅くまで眠っていると、その日の夜の睡眠が悪化する可能性があります。上手な休養日の睡眠のとりかたを工夫してみては、いかがでしょうか。」を表示部１に表示させるとともに、具体的方策教示である「勤務日の睡眠時間が極端に不足しているために、休養日にその負債を返済するため睡眠時間が長くなっている可能性があります。勤務日の就寝時刻を１時間程度早める努力が必要です。また、休養日の睡眠のとりかたを参考にし、お昼近くまで眠ってしまわないように努力しましょう。」を表示部１に表示させる。また、情報ポップアップとして「休養日の睡眠のとりかた」を表示部１に表示させる。
【００６５】
（Ｆ）上述の（Ａ）〜（Ｅ）のような問題がなく、「眠気」あるいは「精神疲労」あるいは「身体疲労」得点の平均が閾値以上あるいは閾値以上の日が４日以上である場合には、警告提示である「睡眠のとりかたに問題はないようですが、自分の気がつかない中途覚醒が多かったり睡眠の質が悪化している可能性があります。あるいはストレスが蓄積している可能性もありますので、上司あるいは健康管理者と相談してください。」を表示部１に表示させるとともに、具体的方策教示である「睡眠のとりかたに問題がないのに脳や身体の疲労回復が出来ていない場合には、睡眠自体に異常のある可能性もあります。スクリーニング用アンケートを管理者の端末で行ってみてください。」を表示部１に表示させる。
【００６６】
（Ｇ）３回以上の睡眠分断日数が３日以上であり、且つ「眠気」あるいは「精神疲労」あるいは「身体疲労」得点の平均が閾値以上あるいは閾値以上の日が４日以上である場合には、警告提示である「睡眠の分断が起こっています。勤務スケジュールによる影響の可能性、ストレス等による影響の可能性、生活スケジュールによる影響の可能性などが考えられます。脳と身体に負担が出てきているようです。上司あるいは健康管理者と相談してください。」を表示部１に表示させるとともに、具体的方策教示である「勤務スケジュールの影響ではない睡眠の分断が続く場合には、睡眠自体に異常のある可能性やストレスによる影響の出ている場合もあります。スクリーニング用アンケートを管理者の端末で行ってみてください。」を表示部１に表示させる。
【００６７】
（Ｈ）なお、表示部１に表示された情報ポップアップがキーボード２を介して利用者によって選択された場合にはその具体的内容を表示部１に表示させる。
（Ｈ−１）情報ポップアップ「短時間仮眠のとりかた」がキーボード２を介して利用者によって選択された場合には、次のような具体的内容を表示部１に表示させる。
「短時間仮眠のとりかた」
・昼間の眠気が最も強くなるのは就床時刻のだいたい１５時間後
・眠気を強く感じる時は、脳の働きが低下している証拠
・１５分程度の仮眠で脳の働きは回復し、その効果は２〜３時間持続
・仮眠から目覚めた直後１０〜１５分間は、脳と身体はまだ眠っている
・仮眠をとる習慣がない場合でも、３〜４日続けると眠れる
・頭の位置が固定できる安楽椅子などで、背もたれの角度を６０度以上にして仮眠をとる。すると、仮眠後すぐに活動体制に移れる。横になって仮眠をとると、睡眠慣性が働いて、目覚めにくく、仮眠後に睡眠から覚醒への切り替えが難しい。
・仮眠をとる時に、頭の位置を固定せずに眠ると首や肩を痛める。これは、眠ると首の筋肉の緊張がなくなるため。足はのばした方が楽に眠れ、足のむくみも解消する。
・仮眠をとる場所は、直射日光が当たる所、騒音の多い所、暑すぎる・寒すぎる所、臭気の強い所、振動の多い所はなるべく避ける。
・仮眠をとる前に、目覚ましをセットする。また、仮眠前にお茶やカフェインの入った飲料を飲む。カフェインは、飲んで３０分後くらいから効き始める。仮眠が終わる頃にちょうど効いてくるので、仮眠を妨害せず、仮眠後の睡眠から覚醒への切り替えがスムーズに進み、すっきり目覚められる。
・仮眠はとる目的により予防的仮眠と補償的仮眠と名付けられている。就床時刻の１５時間後より前に、予想される強い眠気がくることを防ぐ目的でとる仮眠は予防的仮眠である。耐え難い眠気が生じた時に、眠気を解消する目的でとる仮眠は補償的仮眠である。生活の中で、自分の目的に応じて使い分けると効果的である。短時間仮眠は、就寝予定時刻の３〜４時間以上前であれば夜の睡眠に影響を及ぼさない。
【００６８】
（Ｈ−２）情報ポップアップ「休養日の睡眠のとりかた」がキーボード２を介して利用者によって選択された場合には、次のような具体的内容を表示部１に表示させる。
「休養日の睡眠のとりかた」
・勤務日の睡眠時間が不足している場合には休養日で睡眠負債を返済する。
・休養日の前夜はいつもより１時間前に就寝するよう努力する。
・休養日は午前１０時までには起床する。
・長めの睡眠時間が確保できても、睡眠がまだ不足している場合には、休養日の午後１時から３時の間に９０分程度の昼寝をとることで、不足した睡眠時間を補充する。
・休養日の夜が２夜連続する場合は、２夜目の睡眠で調整をはかる。１夜目の就寝時刻が極端に遅くなった場合には、休養日１日目に補充的な昼寝をとることで２夜目の睡眠調整が容易になる。
【００６９】
（Ｈ−３）情報ポップアップ「円滑な入眠のための工夫」がキーボード２を介して利用者によって選択された場合には、次のような具体的内容を表示部１に表示させる。
「円滑に眠りつくための方策」
・急に、いつもより２時間以上前に眠りつこうとしても難しいことを知っておこう。一般には、就寝時刻を前進させるには１時間程度が限度である。
・就寝１〜２時間前からカフェイン飲料（緑茶、紅茶、コーヒー、健康ドリンクなど）を控えよう。
・就寝１時間前から明るい照明（５００ルクス以上、コンビニエンスストアは５０００ルクス以上）の場所は避けよう。眠りのホルモン（メラトニン）分泌を抑制し、脳を興奮させ交感神経の活動を亢進させる。
・就寝１時間前からは、リラックスするよう心がけよう。脳と身体が覚醒モードから睡眠モードに切り替わるのに時間が必要なことを知っておこう。
・就寝３０分前からは脳が興奮するような行動は行わないようにしよう。特に、携帯メールなどは脳を興奮させる。
・就寝３０分前からは、激しい運動、熱いお湯での入浴は避けよう。体温が上がり、寝つける状態にまで下がるのに時間がかかる。一方で，３９℃前後の湯温での１５分程度の入浴や１０分程度の軽いストレッチ運動は、入眠時の体温の急激な低下を促し寝つきをよくする。
・眠りにつくためのアルコール（寝酒）は、百害あって一利なし。少量では脳を興奮させ寝つきを悪くし、大量では睡眠を悪化させる。また、中途覚醒やお手洗い覚醒の原因になる。
・就寝３０分前からはタバコを控えよう。ニコチンは寝つきを悪くする。
・寝る直前の多量の食事は、脳と身体を覚醒モードにし、肥満の原因になるので避けよう。お腹が空きすぎても寝つけなくなるので、そのような場合にはカロリーの少ないものを少量お腹に入れよう。眠る直前に人肌程度のぬるめの白湯をコップ一杯程度飲むと身体を眠りモードに切り替えやすい。
・寒さ、暑さ、悪臭、食物の匂い、騒音は寝つきを悪くする。心地よい環境を整えよう。
【００７０】
（Ｈ−４）情報ポップアップ「睡眠を知って眠気を予防」がキーボード２を介して利用者によって選択された場合には、次のような具体的内容を表示部１に表示させる。
「睡眠を知って眠気を予防」
眠気予防に効果的な充実した睡眠を得るための一般的な注意事項
１．睡眠時間の十分な確保
・早めの就寝時刻と規則性
２．休日における睡眠の取り方の工夫
・勤務日の睡眠時間が不足している場合には休日で睡眠負債を返済する。
【００７１】
休日は午前１０時までには起床する。
それでも睡眠時間がまだ不足している場合には、休日前日に１時間早めに就寝する。それでも足りない場合には、休日の午後１時から３時の間に９０分程度の昼寝をとることで、不足した睡眠時間を補充する。
３．週に３日以上、運動する日を作る。
【００７２】
・運動は、夜間睡眠中の体温低下を促し、睡眠の質を改善する。
・自律神経の活動にメリハリをつくり、睡眠の質を改善する。
４．就寝３０分前からは脳が興奮するような行動は行わない。
【００７３】
・ＴＶゲームやインターネット、携帯メールなど。
・携帯電話を持っている場合：就寝時には携帯電話を寝室外に置くように心がける。
５．午後１０時以降はコンビニエンスストアなどへは出入りしない
・店内は、５，０００〜１０，０００ルクスの照度があり、生体リズムの後退や交感      神経活動の亢進の原因となる．
６．夕食は就寝の３時間以上前に摂る。
【００７４】
・肥満や朝食の欠食の重大な原因になる。
７．朝食を欠食しないように努力する。
・睡眠不足で起床時に眠気が強いと食欲がなくなる。
【００７５】
・朝食の欠食は排便反射を消失させ、朝のお通じがなくなり、便秘や神経性下痢の原因となる。
・睡眠中は、血中のブドウ糖がほぼ消費され、起床後には脳が必要とする唯一のエネルギー源であるブドウ糖を補給する必要がある。朝食は、炭水化物、糖質とビタミンミネラルを中心とした献立を考える。
８．朝食と夕食の時間と規則性を守る。
【００７６】
・食事のタイミングが代謝リズムを整える。ホルモン分泌や身体・脳に影響する。
・就寝直前の多量の食事は肥満の大きな原因になる。就寝時刻の３時間以上前までに夕食をとっておくよう努力する。
９．良好な睡眠環境の確保
・寝室には静かで暗い場所
温湿度：２０〜２５℃、５０〜６０％
騒音：３０ｄＢ以下（騒音は、窓、部屋の扉から進入する）
光：就寝１〜２時間前から１５０ルクス以下。就寝中は１０ルクス以下。
【００７７】
暖色系統の光の方が望ましい．
・空気清浄器を使用して、ダニの死骸、花粉、ホコリをカット（アレルギーは睡眠中に増悪する）
１０．寝具
枕：気道を確保でき、頚椎、肩、腰に負担がかからない高さ。
【００７８】
夏は通気性や熱の放散がよく、冬は肩や首を保温してくれる素材が好ましい。
ベッド：やわらかすぎて腰が沈むものは避け、十分に寝返りができる程度のスペ−スと反発力のある硬さが必要。
【００７９】
掛け寝具：軽くて保温性や通湿性のよいものを選ぶ。
寝間着：胸、腰を締め付けないもの。吸湿性、放湿性の良い素材。
皮膚を痛めない素材。四肢からの熱放散を阻害しないもの。
［睡眠時無呼吸症候群・むずむず脚症候群判定処理（１）の説明］
次に、眠気予防情報提示装置１００の制御部３が実行する睡眠時無呼吸症候群・むずむず脚症候群判定処理を、図５のフローチャートを参照して説明する。
【００８０】
この処理は、眠気予防情報提示装置１００の電源が投入された際に実行される。
まず、ログイン要求されるまで待機し（Ｓ３０５：Ｎ）、ログイン要求された場合には（Ｓ３０５：Ｙ）、ログイン処理を実行する（Ｓ３１０）。続いて、睡眠時無呼吸症候群に関する設問を表示部１に表示させ、利用者からの回答の入力を受け付ける（Ｓ３１５）。
【００８１】
なお、睡眠時無呼吸症候群に関する設問とは次の通りである。
設問１．睡眠中にひどいイビキあるいは起床時に口がかわくことがしょっちゅうありますか？
設問２．睡眠中に息が止まっているといわれたことがよくありますか？
設問３．眠りから目覚めた時に気分の悪いことが，よくありますか？
設問４．眠りから目覚めた時に頭痛を感じることが，よくありますか？
設問５．眠っているときに咳き込んで目が覚めてしまうことが，よくありますか？
次に、利用者からの回答に基づき、利用者の症状を判定し（Ｓ３２０）、その判定結果に対するアドバイスを表示部１に表示させる（Ｓ３２５）。具体的には、設問１および設問２に対する回答がともに「はい」であり、且つ眠気尺度得点が閾値以上の場合には、睡眠時無呼吸症候群の可能性が幾分あると判定し、「睡眠時無呼吸症候群の可能性が幾分あります。健康管理者にご相談下さい。」と表示部１に表示させる。なお、上述の閾値については予め試験等によって設定されている。一方、設問１に対する回答が「はい」であり、設問２に対する回答が「いいえ」であり、眠気尺度得点が閾値以上であり、且つ設問３〜５に対する回答の何れかが一つでも「はい」である場合には、睡眠時無呼吸症候群の可能性が幾分あると判定し、「睡眠時無呼吸症候群の可能性が幾分あります。健康管理者にご相談下さい。」と表示部１に表示させる。なお、上記以外の場合には、睡眠時無呼吸症候群の可能性はあまりないと判定し、「睡眠時無呼吸症候群の可能性は、あまりないようです。」と表示部１に表示させる。
【００８２】
続いて、先に進行する旨の指示がキーボード２を介して入力されるまで待機し（Ｓ３３０：Ｎ）、先に進行する旨の指示が入力された場合には（Ｓ３３０：Ｙ）、むずむず脚症候群に関する設問を表示部１に表示させ、利用者からの回答の入力を受け付ける（Ｓ３３５）。そして、利用者からの回答に基づき、利用者の症状を判定し（Ｓ３４０）、その判定結果に対するアドバイスを表示部１に表示させる（Ｓ３４５）。以下に具体的に説明する。まず、むずむず脚症候群に関する設問とは次の通りである。
【００８３】
設問１．椅子に暫くじっと座っていると、脚に気持ち悪い感じがしばしば生じるむずむず脚症候群の症状特徴を問う設問
設問２．椅子に暫くじっと座っていたり、横になっていたりした時に、脚を動かさないと気持ち悪く感じる状態にしばしば襲われるむずむず脚症候群の症状特徴を問う設問
設問３．椅子に暫くじっと座っていたり、横になっていたりした時に、脚が無意識に繰り返し動いてしまうむずむず脚症候群にしばしば併発する睡眠時四肢運動異常の症状特徴を問う設問
設問４．じっとしていられなかったり、無意識で脚や腕がしばしば動いてしまったりする睡眠時四肢運動異常を併発しているむずむず脚症候群の症状特徴を問う設問
設問５．脚に生じる感覚が貧乏揺すりやこむら返りによるものではないことの確認する設問
設問６．歩き回ると脚に生じる感覚が軽減するむずむず脚症候群の症状特徴を問う設問
設問７．脚に生じる感覚が歩き回っている時よりもじっとしている時の方が、その症状が重いことの確認する設問
設問８．脚に生じる感覚について、夜の方がその症状が重くなるというサーカディアンリズム支配下にあることのむずむず脚症候群の症状特徴を問う設問
そして、設問１〜４に対する回答がすべて「いいえ」である場合には、むずむず脚症候群である可能性はないと判断し、設問５〜８を表示部１には表示させずに、「むずむず脚症候群の可能性は、まずないようです。」と表示部１に表示させる。一方、設問１〜４に対する回答が一つでも「はい」がある場合には、設問５を表示部１に表示させる。
【００８４】
設問５に対する回答が「はい」である場合には、むずむず脚症候群である可能性はないと判断し、設問６〜８を表示部１には表示させずに、「むずむず脚症候群の可能性は、まずないようです。」と表示部１に表示させる。一方、設問５に対する回答が「いいえ」である場合には、設問６および設問７を表示部１に表示させる。設問６および設問７に対する回答がすべて「いいえ」である場合には、「むずむず脚症候群の可能性は、まずないようです。」と表示部１に表示させる。一方、一方、設問６または設問７の何れかに対する回答が「はい」がある場合には、設問８を表示部１に表示させる。
【００８５】
設問８に対する回答が「いいえ」である場合には、むずむず脚症候群の可能性が少ないと判断し、「むずむず脚症候群の可能性は少ないようですが、寝つきが極端に悪いようなら、健康管理者に相談してください。」と表示部１に表示させる。一方、設問８に対する回答が「はい」である場合には、むずむず脚症候群の可能性があると判断し、「むずむず脚症候群の可能性があるようです。健康管理者に相談してください。」と表示部１に表示させる。
【００８６】
そして、ログオフ要求されるまで待機し（Ｓ３５０：Ｎ）、ログオフ要求された場合には（Ｓ３５０：Ｙ）、ログオフ処理を実行する（Ｓ３５５）。そして、本処理を終了する。
【００８７】
［第一実施形態の効果］
（１）このように第一実施形態の眠気予防情報提示装置１００によれば、利用者の睡眠スケジュールが望ましい睡眠スケジュールとなるべく、その改善を促すための改善方法をその利用者に対して提示することで、その利用者が就寝後に覚醒すると推定される時間帯に睡眠時間が混入しないよう促すことができ、勤務中における眠気の発生を予防することが期待できる。
【００８８】
また、このように睡眠負債により生じる注意維持および認知機能の低下を予防することで、例えば利用者が新幹線の運転士である場合には新幹線の安全安定輸送がより強固なものとなる。また、睡眠負債量の低減により、各新幹線運転士の勤労意欲の増大や健康の増進が図られ、職場全体の健全な維持発展につながる。
【００８９】
（２）また、第一実施形態の眠気予防情報提示装置１００によれば、生活習慣履歴情報には、利用者が睡眠を取得した時間帯を示す「睡眠取得時間帯」、利用者が就業した時間帯を示す「就業時間帯」、および利用者の体調を示す「体調情報」が含まれている。このことにより、制御部３が睡眠取得傾向情報および睡眠負債量をより精度よく算出することができる。
【００９０】
（３）また、第一実施形態の眠気予防情報提示装置１００によれば、生活習慣履歴情報には、利用者における過去１０日間分以上の生活習慣履歴に関する情報が含まれている。このことにより、制御部３が睡眠取得傾向情報および睡眠負債量をより精度よく算出することができる。
【００９１】
（４）また、第一実施形態の眠気予防情報提示装置１００によれば、制御部３によって算出された睡眠取得傾向情報には、利用者における生体リズム、睡眠時間、就寝時刻、起床時刻、勤務日の睡眠、休養日の睡眠、睡眠分断の可能性、および睡眠障害の可能性の各情報が少なくとも含まれている。このことにより、制御部３が、利用者にとって望ましい「睡眠スケジュール」をより精度よく算出する。
【００９２】
［第二実施形態］
（２）上記第一実施形態では、眠気予防情報提示装置１００において、キーボード２を介して入力された設問への回答に基づいて睡眠状況判定処理を実行し、その処理結果を表示部１へ表示させるよう構成されている。これに対して、第二実施形態の眠気予防情報提示システム２００では、ユーザ端末であるクライアント４００とサーバ５００とを備え、クライアント４００から設問への回答が入力された場合には、Ｉ／Ｆ４０４を介してその回答をインターネットなどの通信網を経由してサーバ５００に送信し、サーバ５００にてその回答に基づいて上述の睡眠取得状況判定処理や睡眠時無呼吸症候群・むずむず脚症候群判定処理に相当する各種処理を実行したのちに、その処理結果をクライアント４００へ送信して利用者に対して提示するよう構成している。
【００９３】
なお、図６は眠気予防情報提示システム２００の概略構成図である。
［眠気予防情報提示システム２００の構成の説明］
図６に示すように、眠気予防情報提示システム２００は、クライアント４００とサーバ５００とを備え、これらクライアント４００とサーバ５００とがインターネットなどの通信網を介して互いに通信可能に接続されている。
【００９４】
［クライアント４００の構成の説明］
このうちクライアント４００は、表示部４０１、キーボード４０２、各部の動作を制御する制御部４０３、およびインターネットなどの通信網を介して通信を行うＩ／Ｆ４０４と、を備えている。なお、これら表示部４０１、キーボード４０２およびＩ／Ｆ４０４は制御部４０３と接続されている。
【００９５】
表示部４０１は、液晶ディスプレイや有機ＥＬディスプレイ等から構成され、利用者に対する設問や判定結果などの各種情報を表示可能である。また、表示部４０１は、睡眠状況に問題がある場合にはその改善を促すための改善方法を利用者に対して表示可能である。
【００９６】
キーボード４０２は、メカニカルなキースイッチから構成され、利用者の生活習慣履歴を示す情報である「生活習慣履歴情報」を利用者によって入力可能である。
Ｉ／Ｆ４０４は、インターネットなどの通信網に接続され、その通信網に接続されたサーバ５００と通信を行うことができる。
【００９７】
制御部４０３は、例えばＣＰＵとメモリからなる通常のマイクロコンピュータで構成される。また、制御部４０３は、次のような機能を有する。
（ニ）サーバ５００から送信された各種設問を表示部４０１に表示させるとともに、キーボード４０２から入力された上述の設問への回答（生活習慣履歴情報）をサーバ５００へＩ／Ｆ４０４を介して送信する機能を有する。
【００９８】
（ホ）サーバ５００から送信された詳細内容および改善方法を利用者に対して表示部４０１に表示させる機能を有する。
なお、表示部４０１は提示手段に該当する。また、キーボード４０２および制御部４０３は生活習慣履歴情報取得手段に該当する。また、制御部４０３はクライアント側通信手段に該当する。また、Ｉ／Ｆ４０４はクライアント側通信手段に該当する。
【００９９】
［サーバ５００の構成の説明］
サーバ５００は、Ｉ／Ｆ５０１と、制御部５０２と、情報記憶部５０３と、を備えており、なお、これらＩ／Ｆ５０１および情報記憶部５０３は制御部５０２と接続されている。
【０１００】
Ｉ／Ｆ５０１は、インターネットなどの通信網に接続され、その通信網に接続されたクライアント４００と通信を行うことができる。
情報記憶部５０３は、不揮発性メモリで構成され、各種データを記憶するのに利用される。具体的には、情報記憶部５０３は、クライアント４００の表示部４０１に表示させるための各種設問、および、クライアント４００のキーボード４０２から入力された「生活習慣履歴情報」を記憶可能である。さらに、情報記憶部５０３は、上述の「改善方法情報」を記憶する。
【０１０１】
制御部５０２は、例えばＣＰＵとメモリからなる通常のマイクロコンピュータで構成される。また、制御部５０２は、次のような機能を有する。
（ヘ）情報記憶部５０３が記憶する各種設問を読み出して、Ｉ／Ｆ５０１を介してクライアント４００へ送信するとともに、クライアント４００から取得した上述の設問への回答（生活習慣履歴情報）を情報記憶部５０３へ記憶させる機能を有する。
【０１０２】
（ト）情報記憶部５０３が記憶する生活習慣履歴情報を読み出し、その読み出した生活習慣履歴情報に基づいて、利用者における睡眠取得の傾向を示す「睡眠取得傾向情報」および「睡眠負債量」を算出する機能を有する。
【０１０３】
（チ）情報記憶部５０３が記憶する「生活習慣履歴」情報を読み出し、その読み出した生活習慣履歴情報、先に算出した「睡眠取得傾向情報」および「睡眠負債量」に基づき、利用者の睡眠取得の傾向に問題があるか否かを判断するとともに、睡眠取得の傾向に問題があると判定した場合には、その詳細内容および改善方法を利用者に対して表示部４０１に表示させるためにクライアント４００へ送信する機能を有する。
【０１０４】
なお、Ｉ／Ｆ５０１は、サーバ側通信手段に該当する。また、情報記憶部５０３は、改善方法情報記憶手段に該当する。また、制御部５０２は、サーバ側通信制御手段、睡眠状況算出手段、判定手段および改善情報提示制御手段に該当する。
【０１０５】
［睡眠取得状況判定処理（２）の説明］
次に、眠気予防情報提示システム２００におけるクライアント４００の制御部４０３およびサーバ５００の制御部５０２が実行する睡眠取得状況判定処理（２）を、図７のフローチャートを参照して説明する。
【０１０６】
この処理は、眠気予防情報提示システム２００のクライアント４００およびサーバ５００の電源が投入され、互いに通信可能な状態である際に実行される。
まず、クライアント４００の制御部４０３が、ログイン要求されるまで待機し（Ｓ４０５：Ｎ）、ログイン要求された場合には（Ｓ４０５：Ｙ）、その旨をサーバ５００に送信し、サーバ５００の制御部５０２ではログイン処理を実行し、各種質問を情報記憶部５０３から読み出してクライアント４００へ送信する（Ｓ４１０）。
【０１０７】
続いて、クライアント４００の制御部４０３が、利用者の睡眠時間帯の入力を促す旨を表示部４０１に表示させ、利用者からの睡眠時間帯の入力を受け付ける（Ｓ４１５）。なお、この場合の睡眠時間帯には昼寝や仮眠による睡眠時間も含む。そして、キーボード４０２を介して利用者によって睡眠時間帯が入力されるまで待機し、利用者からの睡眠時間帯の入力を受け付けた場合には、クライアント４００の制御部４０３が、利用者の就業時間帯の入力を促す旨を表示部４０１に表示させ、利用者からの就業時間帯の入力を受け付ける（Ｓ４２０）。
【０１０８】
キーボード２を介して利用者によって就業時間帯が入力されるまで待機し、利用者からの就業時間帯の入力を受け付けた場合には、クライアント４００の制御部４０３が、利用者の眠気に関する質問を表示部４０１に表示させ、利用者からの眠気に関する質問への回答の入力を受け付ける（Ｓ４３０）。さらに、利用者からの眠気に関する質問への回答の入力を受け付けた場合には、クライアント４００の制御部４０３が、利用者の肉体の疲労に関する質問を表示部４０１に表示させ、利用者からの肉体の疲労に関する質問への回答の入力を受け付ける（Ｓ４４０）。そして、利用者からの肉体の疲労に関する質問への回答の入力を受け付けた場合には、クライアント４００の制御部４０３が、利用者の頭の疲労に関する質問を表示部４０１に表示させ、利用者からの頭の疲労に関する質問への回答の入力を受け付ける（Ｓ４５０）。
【０１０９】
利用者からの肉体の疲労に関する質問への回答の入力を受け付けた場合には、クライアント４００の制御部４０３が、上述の利用者の睡眠時間帯、利用者の就業時間帯、利用者からの眠気に関する質問への回答、利用者からの肉体の疲労に関する質問への回答、および利用者からの頭の疲労に関する質問への回答をその日付とともに生活習慣履歴情報としてサーバ５００へ送信する。サーバ５００では、制御部５０２が、受信した生活習慣履歴情報を情報記憶部５０３へ記憶させる。
【０１１０】
そして、サーバ５００の制御部５０２が、過去１０日分の利用者の生活習慣履歴情報を情報記憶部５０３から読み出し、その読み出した過去１０日分の利用者の生活習慣履歴情報に基づき、過去１０日間、勤務日のみまたは休養日のみにおける利用者の睡眠特性を算出するとともに、利用者の生体リズムを算出する（Ｓ４７０、図３参照）。
【０１１１】
続いて、サーバ５００の制御部５０２が、先に算出した利用者の生体リズムに基づき、利用者の睡眠負債量を算出する（Ｓ４８０）。
そして、サーバ５００の制御部５０２が、先に算出した睡眠特性、生体リズムおよび睡眠負債量に基づき、利用者の睡眠状況に問題があるか否かを判定する（Ｓ４９０）。利用者の睡眠状況に問題はないと判定された場合には（Ｓ５００：Ｎ）、Ｓ５２０に移行してログオフ要求されるまで待機する（Ｓ５２０：Ｎ）。一方、利用者の睡眠状況に問題があると判断された場合には（Ｓ５００：Ｙ）、その判定結果の詳細内容および改善方法をクライアント４００に送信する。すなわち、上述の（Ａ）〜（Ｈ）ように、睡眠に問題がある場合には、生体リズム、睡眠時間、就寝時刻、起床時刻、休日睡眠、疲労、睡眠分断の７項目のいずれに該当するかを判定し、その詳細内容（問題点）と情報記憶部５０３から読み出した改善方法情報をクライアント４００へ送信する。クライアント４００の制御部４０３では、受信した判定結果の詳細内容および改善方法を表示部４０１に提示させる（Ｓ５１０、図４参照）。そして、ログオフ要求されるまで待機し（Ｓ５２０：Ｎ）、ログオフ要求された場合には（Ｓ５２０：Ｙ）、その旨をサーバ５００へ送信し、サーバ５００の制御部５０２がログオフ処理を実行する（Ｓ５３０）。そして、本処理を終了する。
【０１１２】
［睡眠時無呼吸症候群・むずむず脚症候群判定処理（２）の説明］
次に、眠気予防情報提示システム２００におけるクライアント４００の制御部４０３およびサーバ５００の制御部５０２が実行する睡眠時無呼吸症候群・むずむず脚症候群判定処理（２）を、図８のフローチャートを参照して説明する。
【０１１３】
この処理は、眠気予防情報提示システム２００のクライアント４００およびサーバ５００の電源が投入され、互いに通信可能な状態である際に実行される。
まず、クライアント４００の制御部４０３が、ログイン要求されるまで待機し（Ｓ６０５：Ｎ）、ログイン要求された場合には（Ｓ６０５：Ｙ）、その旨をサーバ５００に送信し、サーバ５００の制御部５０２ではログイン処理を実行する（Ｓ６１０）。続いて、サーバ５００の制御部５０２が、上述した睡眠時無呼吸症候群に関する設問を情報記憶部５０３から読み出してクライアント４００へ送信し、クライアント４００では、制御部４０３が、受信した睡眠時無呼吸症候群に関する設問を表示部４０１に表示させ、利用者からの回答の入力を受け付ける（Ｓ６１５）。
【０１１４】
次に、クライアント４００の制御部４０３が、受け付けた回答をサーバ５００へ送信し、サーバ５００では、制御部５０２が、受信した利用者からの回答に基づき、利用者の症状を判定し（Ｓ６２０）、その判定結果に対するアドバイスをクライアント４００へ送信する。クライアント４００の制御部４０３は、受信したアドバイスを表示部４０１に表示させる（Ｓ６２５）。
【０１１５】
続いて、先に進行する旨の指示がキーボード２を介して入力されるまで待機し（Ｓ６３０：Ｎ）、先に進行する旨の指示が入力された場合には（Ｓ６３０：Ｙ）、クライアント４００の制御部４０３が、その旨をサーバ５００に送信する。サーバ５００では、制御部５０２が情報記憶部５０３から上述の「むずむず脚症候群に関する設問」を読み出してクライアント４００へ送信し、クライアント４００では、制御部４０３が、受信した上述の「むずむず脚症候群に関する設問」を表示部４０１に表示させ、利用者からの回答の入力を受け付ける（Ｓ６３５）。そして、クライアント４００の制御部４０３が、受け付けた回答をサーバ５００へ送信し、サーバ５００では、制御部５０２が、受信した利用者からの回答に基づき、利用者の症状を判定し（Ｓ６４０）、その判定結果に対するアドバイスをクライアント４００へ送信する。クライアント４００の制御部４０３は、受信したアドバイスを表示部４０１に表示させる（Ｓ６４５）。
【０１１６】
そして、ログオフ要求されるまで待機し（Ｓ６５０：Ｎ）、ログオフ要求された場合には（Ｓ６５０：Ｙ）、その旨をサーバ５００へ送信し、サーバ５００の制御部５０２がログオフ処理を実行する（Ｓ６５５）。そして、本処理を終了する。
【０１１７】
［第二実施形態の効果］
（１）このように第二実施形態の眠気予防情報提示システム２００によれば、利用者の睡眠スケジュールが望ましい睡眠スケジュールとなるべく、その改善を促すための改善方法をその利用者に対して提示することで、その利用者が就寝後に覚醒すると推定される時間帯に睡眠時間が混入しないよう促すことができ、勤務中における眠気の発生を予防することが期待できる。
【０１１８】
また、このように睡眠負債により生じる注意維持および認知機能の低下を予防することで、例えば利用者が新幹線の運転士である場合には新幹線の安全安定輸送がより強固なものとなる。また、睡眠負債量の低減により、各新幹線運転士の勤労意欲の増大や健康の増進が図られ、職場全体の健全な維持発展につながる。
【０１１９】
（２）また、第二実施形態の眠気予防情報提示システム２００によれば、生活習慣履歴情報には、利用者が睡眠を取得した時間帯を示す「睡眠取得時間帯」、利用者が就業した時間帯を示す「就業時間帯」、および利用者の体調を示す「体調情報」が含まれている。このことにより、サーバ５００の制御部５０２が睡眠取得傾向情報および睡眠負債量をより精度よく算出することができる。
【０１２０】
（３）また、第二実施形態の眠気予防情報提示システム２００によれば、生活習慣履歴情報には、利用者における過去１０日間分以上の生活習慣履歴に関する情報が含まれている。このことにより、サーバ５００の制御部５０２が睡眠取得傾向情報および睡眠負債量をより精度よく算出することができる。
【０１２１】
（４）また、第二実施形態の眠気予防情報提示システム２００によれば、サーバ５００の制御部５０２によって算出された睡眠取得傾向情報には、利用者における生体リズム、睡眠時間、就寝時刻、起床時刻、勤務日の睡眠、休養日の睡眠、睡眠分断の可能性、および睡眠障害の可能性の各情報が少なくとも含まれている。このことにより、サーバ５００の制御部５０２が、利用者にとって望ましい「睡眠スケジュール」をより精度よく算出する。
【０１２２】
［他の実施形態］
以上、本発明の一実施形態について説明したが、本発明は上記実施形態に限定されるものではなく、以下のような様々な態様にて実施することが可能である。
【０１２３】
（１）上記第一実施形態では、利用者として、鉄道車両の運転士、特に新幹線の運転士を例に説明したが、これには限られず、上述の利用者としては、鉄道車両の運転士やトラック・バスの運転者などが挙げられる。なお、飛行機のパイロットや医師、看護士などの不規則勤務者については、上述の利用者には含まないものとする。
【０１２４】
（２）上記第二実施形態では、眠気予防情報提示システム２００が一つのクライアント４００を備えているが、これには限られず、眠気予防情報提示システム２００が複数のクライアント４００を備え、複数のクライアント４００とサーバ５００とがインターネットなどの通信網を介して互いに通信可能に接続するよう構成してもよい。この場合、サーバ５００は、クライアント４００ごとに設定されたＩＤやシリアルナンバーなどの特定情報を用いて送受信先のクライアント４００を特定することが考えられる。
【図面の簡単な説明】
【０１２５】
【図１】眠気予防情報提示装置の概略構成図である。
【図２】睡眠取得状況判定処理（１）を説明するフローチャートである。
【図３】睡眠取得状況判定処理（１）を説明する説明図（１）である。
【図４】睡眠取得状況判定処理（１）を説明する説明図（２）である。
【図５】睡眠時無呼吸症候群・むずむず脚症候群判定処理（１）を説明するフローチャートである。
【図６】眠気予防情報提示システムの概略構成図である。
【図７】睡眠取得状況判定処理（２）を説明するフローチャートである。
【図８】睡眠時無呼吸症候群・むずむず脚症候群判定処理（２）を説明するフローチャートである。
【符号の説明】
【０１２６】
１，４０１…表示部、２，４０２…キーボード、３，４０３，５０２…制御部、４，５０３…情報記憶部、１００…眠気予防情報提示装置、２００…眠気予防情報提示システム、４００…クライアント、４０４，５０１…Ｉ／Ｆ、５００…サーバ
【図１】
0004761364.tif 000002
【図２】
0004761364.tif 000003
【図５】
0004761364.tif 000004
【図６】
0004761364.tif 000005
【図７】
0004761364.tif 000006
【図８】
0004761364.tif 000007
【図３】
0004761364.tif 000008
【図４】
0004761364.tif 000009